(57)【特許請求の範囲】
【請求項１】
無線通信システムにおいて端末が基地局からＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を受信する方法であって、
前記ＥＰＤＣＣＨのためのリソースブロックのそれぞれに対して、第１個数のＥＲＥＧ（Ｅｎｈａｎｃｅｄ  Ｒｅｓｏｕｒｃｅ  Ｅｌｅｍｅｎｔ  Ｇｒｏｕｐ）を定義するステップと、
前記リソースブロックにおいて、１つ以上のＥＣＣＥ（Ｅｎｈａｎｃｅｄ  Ｃｏｎｔｒｏｌ  Ｃｈａｎｎｅｌ  Ｅｌｅｍｅｎｔ）で構成されたＥＰＤＣＣＨ候補をモニタリングして前記ＥＰＤＣＣＨを受信するステップと、を含み、
前記１つ以上のＥＣＣＥのそれぞれは、互いに異なるリソースブロックに含まれた第２個数のＥＲＥＧで構成され、
前記第２個数のＥＲＥＧを含むリソースブロックのインデックスは、前記リソースブロックの個数を前記第２個数で割った特定値に基づいて決定されることを特徴とするＥＰＤＣＣＨ受信方法。
【請求項２】
前記第２個数のＥＲＥＧを含むリソースブロックのインデックスは、前記特定値と１のうち大きい値の間隔に決定される、請求項１に記載のＥＰＤＣＣＨ受信方法。
【請求項３】
前記第２個数のＥＲＥＧを含むリソースブロックのインデックスは、下記の式Ａによって決定される、請求項２に記載のＥＰＤＣＣＨ受信方法。
【数１】
0005872103.tif 000058
【請求項４】
前記ＥＣＣＥ＃ｎを構成する前記第２個数のＥＲＥＧのインデックスは、下記の式Ｂによって決定される、請求項１に記載のＥＰＤＣＣＨ受信方法。
【数２】
0005872103.tif 000059
【請求項５】
前記第１個数は、固定した値であり、
前記第２個数は、前記ＥＰＤＣＣＨを受信するサブフレームのタイプによって可変する値である、請求項１に記載のＥＰＤＣＣＨ受信方法。
【請求項６】
前記第２個数は、前記ＥＰＤＣＣＨを受信するサブフレームのタイプによって、４又は８の値を有する、請求項５に記載のＥＰＤＣＣＨ受信方法。
【請求項７】
前記第１個数のＥＲＥＧを定義するステップは、
前記リソースブロックのそれぞれに対して、前記ＥＲＥＧのインデックスを割り当てるステップを含み、
前記リソースブロックのそれぞれに含まれたＥＲＥＧのインデックスは、０から１５までの値を有する、請求項１に記載のＥＰＤＣＣＨ受信方法。
【請求項８】
無線通信システムにおいて基地局が端末にＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を送信する方法であって、
前記ＥＰＤＣＣＨのためのリソースブロックのそれぞれに対して、第１個数のＥＲＥＧ（Ｅｎｈａｎｃｅｄ  Ｒｅｓｏｕｒｃｅ  Ｅｌｅｍｅｎｔ  Ｇｒｏｕｐ）を定義するステップと、
互いに異なるリソースブロックに含まれた第２個数のＥＲＥＧで構成された１つ以上のＥＣＣＥ（Ｅｎｈａｎｃｅｄ  Ｃｏｎｔｒｏｌ  Ｃｈａｎｎｅｌ  Ｅｌｅｍｅｎｔ）を用いて、前記ＥＰＤＣＣＨを送信するステップと、を含み、
前記第２個数のＥＲＥＧを含むリソースブロックのインデックスは、前記リソースブロックの個数を前記第２個数で割った特定値に基づいて決定されることを特徴とするＥＰＤＣＣＨ送信方法。
【請求項９】
前記第２個数のＥＲＥＧを含むリソースブロックのインデックスは、前記特定値と１のうち大きい値の間隔に決定される、請求項８に記載のＥＰＤＣＣＨ送信方法。
【請求項１０】
前記第２個数のＥＲＥＧを含むリソースブロックのインデックスは、下記の式Ａによって決定される、請求項９に記載のＥＰＤＣＣＨ送信方法。
【数３】
0005872103.tif 000060
【請求項１１】
前記ＥＣＣＥ＃ｎを構成する前記第２個数のＥＲＥＧのインデックスは、下記の式Ｂによって決定される、請求項８に記載のＥＰＤＣＣＨ送信方法。
【数４】
0005872103.tif 000061
【請求項１２】
前記第１個数は、固定した値であり、
前記第２個数は、前記ＥＰＤＣＣＨを送信するサブフレームのタイプによって可変する値である、請求項８に記載のＥＰＤＣＣＨ送信方法。
【請求項１３】
前記第２個数は、前記ＥＰＤＣＣＨを送信するサブフレームのタイプによって、４又は８の値を有する、請求項１２に記載のＥＰＤＣＣＨ送信方法。
【請求項１４】
前記第１個数のＥＲＥＧを定義するステップは、
前記リソースブロックのそれぞれに対して、前記ＥＲＥＧのインデックスを割り当てるステップを含み、
前記リソースブロックのそれぞれに含まれたＥＲＥＧのインデックスは、０から１５までの値を有する、請求項８に記載のＥＰＤＣＣＨ送信方法。
【発明の詳細な説明】
【技術分野】
【０００１】
本発明は、無線通信システムに関し、特に、無線通信システムにおいて分散的タイプの下りリンク制御チャネルの検索領域のためにリソースブロックを構成する方法及びそのための装置に関する。
【背景技術】
【０００２】
本発明を適用できる無線通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照すればよい。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に下り又は上り送信サービスを提供する。異なったセルは、互いに異なった帯域幅を提供するように設定されればよい。基地局は、複数の端末に関するデータ送受信を制御する。下りリンク（Ｄｏｗｎｌｉｎｋ；ＤＬ）データについて、基地局は下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成可能である。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度なパワー消耗などが要求される。
【発明の概要】
【発明が解決しようとする課題】
【０００７】
上述したような議論に基づき、以下では無線通信システムにおいて分散的タイプの下りリンク制御チャネルの検索領域のためにリソースブロックを構成する方法及びそのための装置を提案する。
【課題を解決するための手段】
【０００８】
本発明の一実施例である、無線通信システムにおいて端末が基地局からＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を受信する方法は、前記ＥＰＤＣＣＨのためのリソースブロックのそれぞれに対して、第１個数のＥＲＥＧ（Ｅｎｈａｎｃｅｄ  Ｒｅｓｏｕｒｃｅ  Ｅｌｅｍｅｎｔ  Ｇｒｏｕｐ）を定義するステップと、前記リソースブロックにおいて、１つ以上のＥＣＣＥ（Ｅｎｈａｎｃｅｄ  Ｃｏｎｔｒｏｌ  Ｃｈａｎｎｅｌ  Ｅｌｅｍｅｎｔ）で構成されたＥＰＤＣＣＨ候補をモニタリングして前記ＥＰＤＣＣＨを受信するステップと、を含み、前記１つ以上のＥＣＣＥのそれぞれは、互いに異なるリソースブロックに含まれた第２個数のＥＲＥＧで構成され、前記第２個数のＥＲＥＧを含むリソースブロックのインデックスは、前記リソースブロックの個数を前記第２個数で割った特定値に基づいて決定されることを特徴とする。
【０００９】
一方、本発明の他の実施例である、無線通信システムにおいて基地局が端末にＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を送信する方法は、前記ＥＰＤＣＣＨのためのリソースブロックのそれぞれに対して、第１個数のＥＲＥＧ（Ｅｎｈａｎｃｅｄ  Ｒｅｓｏｕｒｃｅ  Ｅｌｅｍｅｎｔ  Ｇｒｏｕｐ）を定義するステップと、互いに異なるリソースブロックに含まれた第２個数のＥＲＥＧで構成された１つ以上のＥＣＣＥ（Ｅｎｈａｎｃｅｄ  Ｃｏｎｔｒｏｌ  Ｃｈａｎｎｅｌ  Ｅｌｅｍｅｎｔ）を用いて、前記ＥＰＤＣＣＨを送信するステップと、を含み、前記第２個数のＥＲＥＧを含むリソースブロックのインデックスは、前記リソースブロックの個数を前記第２個数で割った特定値に基づいて決定されることを特徴とする。
【００１０】
上述の実施例において、前記第２個数のＥＲＥＧを含むリソースブロックのインデックスは、前記特定値と１のうち大きい値の間隔に決定されることを特徴とする。すなわち、前記第２個数のＥＲＥＧを含むリソースブロックのインデックスは、下記の式Ａによって決定されてもよい。
【００１１】
【数１】
0005872103.tif 000002
【００１２】
【数２】
0005872103.tif 000003
また、前記第１個数は、固定した値であり、前記第２個数は、前記ＥＰＤＣＣＨを受信するサブフレームのタイプによって可変する値である。具体的に、前記第２個数は、前記ＥＰＤＣＣＨを受信するサブフレームのタイプによって、４又は８の値を有することを特徴とする。
【００１３】
より好ましくは、前記第１個数のＥＲＥＧを定義するステップは、前記リソースブロックのそれぞれに対して、前記ＥＲＥＧのインデックスを割り当てるステップを含み、前記リソースブロックのそれぞれに含まれたＥＲＥＧのインデックスは、０から１５までの値を有することを特徴とする。
【発明の効果】
【００１４】
本発明の実施例によれば、無線通信システムにおいて分散的タイプの下りリンク制御チャネルの検索領域のためにリソースブロックを效率的に構成することが可能になる。
【００１５】
本発明で得られる効果は、以上に言及した効果に制限されず、言及していない別の効果は、下の記載から、本発明の属する技術の分野における通常の知識を有する者には明確に理解されるであろう。
【図面の簡単な説明】
【００１６】
【図１】無線通信システムの一例としてＥ−ＵＭＴＳネットワーク構造を概略的に示す図である。
【図２】３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）構造を示す図である。
【図３】３ＧＰＰシステムに用いられる物理チャネル及びそれらを用いた一般の信号送信方法を説明するための図である。
【図４】ＬＴＥシステムにおいて用いられる下りリンク無線フレームの構造を例示する図である。
【図５】ＬＴＥシステムにおいて下りリンク制御チャネルを構成するために使用されるリソース単位を示す図である。
【図６】ＬＴＥシステムで用いられる上りリンクサブフレームの構造を示す図である。
【図７】搬送波集成（ｃａｒｒｉｅｒ  ａｇｇｒｅｇａｔｉｏｎ）を説明する概念図である。
【図８】次世代通信システムにおいて多重ノードシステムを例示する図である。
【図９】ＥＰＤＣＣＨ、及びＥＰＤＣＣＨによってスケジューリングされるＰＤＳＣＨを例示する図である。
【図１０】局地的ＥＣＣＥと分散的ＥＣＣＥの概念を説明するための図である。
【図１１】複数のＲＥセットグループからＥＣＣＥ構成のためのＲＥセットを選択する例を示す。
【図１２】本発明の第１実施例によってＬ−ＥＣＣＥとして指定された場合にＥＣＣＥを定義する例を示す。
【図１３】本発明の第１実施例によってＤ−ＥＣＣＥとして指定された場合にＥＣＣＥを定義する例を示す。
【図１４】本発明の第２実施例によってＬ−ＥＣＣＥを構成した例を示す。
【図１５】本発明の第２実施例によってＤ−ＥＣＣＥを構成した例を示す。
【図１６】本発明の第３実施例によってＰＲＢ対インデックスにビットリバース（ｂｉｔ  ｒｅｖｅｒｓｅ）技法を適用した例を示す。
【図１７】本発明の第３実施例によってＬ−ＥＣＣＥ及びＤ−ＥＣＣＥを構成する例を示す。
【図１８】本発明の第３実施例によってＬ−ＥＣＣＥを構成した他の例を示す。
【図１９】本発明の第３実施例によってＤ−ＥＣＣＥを構成した他の例を示す。
【図２０】本発明の第４実施例によってＬ−ＥＣＣＥを構成した例を示す。
【図２１】本発明の第４実施例によってＤ−ＥＣＣＥを構成した例を示す。
【図２２】本発明の第４実施例によってＤ−ＥＣＣＥを構成した他の例を示す。
【図２３】本発明の第５実施例によってＥＣＣＥを再インデクシングする例を示す。
【図２４】本発明の第５実施例によってＥＣＣＥを再インデクシングする他の例を示す。
【図２５】本発明の第６実施例によってＬ−ＥＣＣＥとＤ−ＥＣＣＥを構成する例を示す。
【図２６】本発明の第６実施例によってＬ−ＥＣＣＥとＤ−ＥＣＣＥを多重化する方式を決定した後、検索領域上でＥＰＤＣＣＨ候補に対する開始位置を決定する一例を示す。
【図２７】第６実施例によって検索領域上でＥＰＤＣＣＨ候補に対する開始位置を決定する他の例を示す。
【図２８】第６実施例によって検索領域上でＥＰＤＣＣＨ候補に対する開始位置を決定する更に他の例を示す。
【図２９】本発明の第７実施例によってＥＣＣＥとＥＲＥＧ間のマッピングを例示する図である。
【図３０】本発明の第７実施例によって局地的ＥＰＤＣＣＨ及び分散的ＥＰＤＣＣＨの多重化例を示す。
【図３１】本発明の第７実施例に係る集成レベル１の局地的ＥＰＤＣＣＨ候補の配置を例示する図である。
【図３２】本発明の第８実施例に係るＥＣＣＥ構成方法を例示する図である。
【図３３】本発明の実施例に係る通信装置のブロック構成図である。
【発明を実施するための形態】
【００１７】
以下に添付の図面を参照して説明された本発明の実施例から、本発明の構成、作用及び他の特徴が容易に理解されるであろう。以下に説明される実施例は、本発明の技術的特徴が３ＧＰＰシステムに適用された例である。
【００１８】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。また、本明細書は、ＦＤＤ方式を基準にして本発明の実施例について説明するが、これは例示に過ぎず、本発明の実施例は、Ｈ−ＦＤＤ方式又はＴＤＤ方式にも容易に変形して適用されてもよい。
【００１９】
図２は、３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン及びユーザプレーンの構造を示す図である。コントロールプレーンとは、端末（ＵＥ）とネットワークとが呼を管理するために用いる制御メッセージが送信される通路のことを意味する。ユーザプレーンとは、アプリケーション層で生成されたデータ、例えば、音声データ又はインターネットパケットデータなどが送信される通路のことを意味する。
【００２０】
第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して接続されている。該送信チャネルを介して媒体接続制御層と物理層との間にデータが移動する。送信側の物理層と受信側の物理層との間には物理チャネルを介してデータが移動する。該物理チャネルは、時間及び周波数を無線リソースとして活用する。具体的に、物理チャネルは、下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２１】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ送信を支援する。ＲＬＣ層の機能は、ＭＡＣ内部の機能ブロックとしてもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを効率的に送信するために、余分の制御情報を減らすヘッダー圧縮（Ｈｅａｄｅｒ  Ｃｏｍｐｒｅｓｓｉｏｎ）機能を果たす。
【００２２】
第３層の最下部に位置する無線リソース制御（Ｒａｄｉｏ  Ｒｅｓｏｕｒｃｅ  Ｃｏｎｔｒｏｌ；ＲＲＣ）層は、コントロールプレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して、論理チャネル、送信チャネル及び物理チャネルの制御を担当する。無線ベアラー（ＲＢ）とは、端末とネットワーク間のデータ伝達のために第２層により提供されるサービスのことを意味する。そのために、端末のＲＲＣ層とネットワークのＲＲＣ層とはＲＲＣメッセージを互いに交換する。端末のＲＲＣ層とネットワークのＲＲＣ層間にＲＲＣ接続（ＲＲＣ  Ｃｏｎｎｅｃｔｅｄ）がある場合に、端末はＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にあるようになる。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２３】
基地局（ｅＮＢ）を構成する一つのセルは、１．４、３、５、１０、１５、２０ＭＨｚなどの帯域幅のいずれか一つに設定され、複数の端末に下り又は上り送信サービスを提供する。異なったセルは互いに異なった帯域幅を提供するように設定されるとよい。
【００２４】
ネットワークから端末にデータを送信する下り送信チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージは、下りＳＣＨを介して送信されてもよく、別の下りＭＣＨ（Ｍｕｌｔｉｃａｓｔ  Ｃｈａｎｎｅｌ）を介して送信されてもよい。一方、端末からネットワークにデータを送信する上り送信チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。送信チャネルの上位に存在し、送信チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２５】
図３は、３ＧＰＰシステムに用いられる物理チャネル及びこれらのチャネルを用いた一般の信号送信方法を説明するための図である。
【００２６】
端末は、電源が入ったり、新しくセルに進入したりした場合に、基地局と同期を取る等の初期セル探索（Ｉｎｉｔｉａｌ  ｃｅｌｌ  ｓｅａｒｃｈ）作業を行う（Ｓ３０１）。そのために、端末は、基地局からプライマリ同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を取り、セルＩＤなどの情報を獲得すればよい。その後、端末は、基地局から物理放送チャネル（Ｐｈｙｓｉｃａｌ  Ｂｒｏａｄｃａｓｔ  Ｃｈａｎｎｅｌ）を受信し、セル内放送情報を獲得できる。一方、端末は、初期セル探索段階で、下りリンク参照信号（Ｄｏｗｎｌｉｎｋ  Ｒｅｆｅｒｅｎｃｅ  Ｓｉｇｎａｌ；ＤＬ ＲＳ）を受信し、下りリンクチャネル状態を確認できる。
【００２７】
初期セル探索を終えた端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、及び該ＰＤＣＣＨに載せられた情報に基づいて物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を獲得できる（Ｓ３０２）。
【００２８】
一方、基地局に最初に接続したり信号送信のための無線リソースがない場合には、端末は、基地局にランダムアクセス手順（Ｒａｎｄｏｍ  Ａｃｃｅｓｓ  Ｐｒｏｃｅｄｕｒｅ；ＲＡＣＨ）を行ってよい（Ｓ３０３乃至Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を介して特定シーケンスをプリアンブルとして送信し（Ｓ３０３及びＳ３０５）、ＰＤＣＣＨ及び対応するＰＤＳＣＨを介して、プリアンブルに対する応答メッセージを受信すればよい（Ｓ３０４及びＳ３０６）。競合ベースのＲＡＣＨについては、衝突解決手順（Ｃｏｎｔｅｎｔｉｏｎ  Ｒｅｓｏｌｕｔｉｏｎ  Ｐｒｏｃｅｄｕｒｅ）をさらに行ってもよい。
【００２９】
上述の手順を行った端末は、以降、一般的な上りリンク／下りリンク信号送信手順として、ＰＤＣＣＨ／ＰＤＳＣＨ受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）送信（Ｓ３０８）を行えばよい。特に、端末はＰＤＣＣＨを介して下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割当情報のような制御情報を含んでおり、その使用目的によってフォーマットが異なっている。
【００３０】
一方、端末が上りリンクを介して基地局に送信する又は端末が基地局から受信する制御情報としては、下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムでは、端末は、これらのＣＱＩ／ＰＭＩ／ＲＩなどの制御情報をＰＵＳＣＨ及び／又はＰＵＣＣＨを介して送信してもよい。
【００３１】
図４は、下りリンク無線フレームにおいて一つのサブフレームの制御領域に含まれる制御チャネルを例示する図である。
【００３２】
図４を参照すると、サブフレームは、１４個のＯＦＤＭシンボルで構成されている。サブフレーム設定によって先頭の１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する参照信号（Ｒｅｆｅｒｅｎｃｅ  Ｓｉｇｎａｌ（ＲＳ）、又はＰｉｌｏｔ  Ｓｉｇｎａｌ）を表す。ＲＳは、制御領域及びデータ領域を問わず、サブフレーム内に一定のパターンで固定される。制御チャネルは、制御領域においてＲＳの割り当てられないリソースに割り当てられ、トラフィックチャネルも、データ領域においてＲＳの割り当てられないリソースに割り当てられる。制御領域に割り当てられる制御チャネルとしては、ＰＣＦＩＣＨ（ＰｈｙｓｉｃａｌＣｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００３３】
ＰＣＦＩＣＨは、物理制御フォーマット指示子チャネルで、毎サブフレームごとにＰＤＣＣＨに用いられるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは、４個のＲＥＧ（Ｒｅｓｏｕｒｃｅ  Ｅｌｅｍｅｎｔ  Ｇｒｏｕｐ）で構成され、それぞれのＲＥＧは、セルＩＤ（Ｃｅｌｌ  ＩＤｅｎｔｉｔｙ）に基づいて制御領域内に分散される。１個のＲＥＧは４個のＲＥ（Ｒｅｓｏｕｒｃｅ  Ｅｌｅｍｅｎｔ）で構成される。ＲＥは、１個の副搬送波×１個のＯＦＤＭシンボルで定義される最小物理リソースを表す。ＰＣＦＩＣＨ値は帯域幅によって、１乃至３、又は２乃至４の値を指示し、ＱＰＳＫ（Ｑｕａｄｒａｔｕｒｅ  Ｐｈａｓｅ  Ｓｈｉｆｔ  Ｋｅｙｉｎｇ）で変調される。
【００３４】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルで、上りリンク送信に対するＨＡＲＱ ＡＣＫ／ＮＡＣＫを運ぶのに用いられる。すなわち、ＰＨＩＣＨは、ＵＬ ＨＡＲＱのためのＤＬ ＡＣＫ／ＮＡＣＫ情報が送信されるチャネルを表す。ＰＨＩＣＨは、１個のＲＥＧで構成され、セル特定（ｃｅｌｌ−ｓｐｅｃｉｆｉｃ）にスクランブル（ｓｃｒａｍｂｌｉｎｇ）される。ＡＣＫ／ＮＡＣＫは１ビットで指示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは、拡散因子（Ｓｐｒｅａｄｉｎｇ  Ｆａｃｔｏｒ；ＳＦ）＝２又は４で拡散される。同一のリソースにマッピングされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は、周波数領域及び／又は時間領域においてダイバーシティ利得を得るために３回反復（ｒｅｐｅｔｉｔｉｏｎ）される。
【００３５】
ＰＤＣＣＨは、物理下りリンク制御チャネルで、サブフレームの先頭ｎ個のＯＦＤＭシンボルに割り当てられる。ここで、ｎは、１以上の整数であり、ＰＣＦＩＣＨにより指示される。ＰＤＣＣＨは、１個以上のＣＣＥ（Ｃｏｎｔｒｏｌ  Ｃｈａｎｎｅｌ  Ｅｌｅｍｅｎｔ）で構成される。ＰＤＣＣＨは、送信チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割当に関する情報、上りリンクスケジューリンググラント（Ｕｐｌｉｎｋ  Ｓｃｈｅｄｕｌｉｎｇ  Ｇｒａｎｔ）、ＨＡＲＱ情報などを、各端末又は端末グループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。したがって、基地局と端末は一般に、特定の制御情報又は特定のサービスデータ以外はＰＤＳＣＨを介してそれぞれ送信及び受信する。
【００３６】
ＰＤＳＣＨのデータがいずれの端末（１つ又は複数の端末）に送信されるものであるか、それら端末がどのようにＰＤＳＣＨデータを受信してデコーディング（ｄｅｃｏｄｉｎｇ）をすべきかに関する情報などは、ＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスクされており、「Ｂ」という無線リソース（例、周波数位置）及び「Ｃ」という伝送形式情報（例、伝送ブロックサイズ、変調方式、コーディング情報など）を用いて送信されるデータに関する情報が特定サブフレームにおいて送信されるとしよう。この場合、セル内の端末は、自身が持っているＲＮＴＩ情報を用いてＰＤＣＣＨをモニタリングし、「Ａ」のＲＮＴＩを持っている一つ以上の端末があると、それら端末は、ＰＤＣＣＨを受信し、受信したＰＤＣＣＨの情報に基づき、「Ｂ」と「Ｃ」により指示されるＰＤＳＣＨを受信する。
【００３７】
図５は、ＬＴＥシステムにおいて下りリンク制御チャネルを構成するために使用されるリソース単位を示す。特に、図５の（ａ）は、基地局の送信アンテナの個数が１個又は２個である場合を示し、図５の（ｂ）は、基地局の送信アンテナの個数が４個である場合を示す。送信アンテナの個数によってＲＳ（Ｒｅｆｅｒｅｎｃｅ  Ｓｉｇｎａｌ）パターンが異なるだけで、制御チャネルと関連したリソース単位の設定方法は同一である。
【００３８】
図５を参照すると、下りリンク制御チャネルの基本リソース単位は、ＲＥＧ（Ｒｅｓｏｕｒｃｅ  Ｅｌｅｍｅｎｔ  Ｇｒｏｕｐ）である。ＲＥＧは、ＲＳを除外した状態で４個の隣り合うリソース要素（ＲＥ）で構成される。同図でＲＥＧは太線で示されている。ＰＣＦＩＣＨ及びＰＨＩＣＨはそれぞれ、４個のＲＥＧ及び３個のＲＥＧを含む。ＰＤＣＣＨは、ＣＣＥ（Ｃｏｎｔｒｏｌ  Ｃｈａｎｎｅｌ  Ｅｌｅｍｅｎｔs）単位で構成され、一つのＣＣＥは９個のＲＥＧを含む。
【００３９】
【数３】
0005872103.tif 000004
【００４０】
【表１】
0005872103.tif 000005
【００４１】
検索領域は、特定端末のみに対して接近が許容される端末−特定検索領域（ＵＥ−ｓｐｅｃｉｆｉｃ  ｓｅａｒｃｈ  ｓｐａｃｅ）と、セル内の全端末に対して接近が許容される共通検索領域（ｃｏｍｍｏｎ  ｓｅａｒｃｈ  ｓｐａｃｅ）とに区別できる。端末は、ＣＣＥ集成レベルが４及び８である共通検索領域をモニタリングし、ＣＣＥ集成レベルが１、２、４及び８である端末−特定検索領域をモニタリングする。共通検索領域及び端末特定検索領域はオーバーラップすることがある。
【００４２】
また、各ＣＣＥ集成レベル値に対して、任意の端末に与えられるＰＤＣＣＨ検索領域において最初の（最小のインデックスを持つ）ＣＣＥの位置は端末によって毎サブフレームごとに変化するようになる。これを、ＰＤＣＣＨ検索領域ハッシュ（ｈａｓｈｉｎｇ）という。
【００４３】
上記ＣＣＥはシステム帯域に分散されてよい。より具体的に、論理的に連続した複数のＣＣＥがインターリーバ（ｉｎｔｅｒｌｅａｖｅｒ）に入力されることがあり、該インターリーバは、入力された複数のＣＣＥをＲＥＧ単位で組み替える機能を果たす。したがって、一つのＣＣＥを構成する周波数／時間リソースは、物理的に、サブフレームの制御領域内で全体の周波数／時間領域に散在して分布する。結局、制御チャネルはＣＣＥ単位で構成されるが、インターリービングはＲＥＧ単位で行われることで、周波数ダイバーシティ（ｄｉｖｅｒｓｉｔｙ）と干渉ランダム化（ｉｎｔｅｒｆｅｒｅｎｃｅ  ｒａｎｄｏｍｉｚａｔｉｏｎ）利得を最大化できる。
【００４４】
図６は、ＬＴＥシステムにおいて用いられる上りリンクサブフレームの構造を示す図である。
【００４５】
図６を参照すると、上りリンクサブフレームは、制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）が割り当てられる領域と、ユーザデータを運ぶＰＵＳＣＨ（Ｐｈｙｓｉｃａｌ  Ｕｐｌｉｎｋ  Ｓｈａｒｅｄ  ＣＨａｎｎｅｌ）が割り当てられる領域とに区別される。サブフレームの中間部分がＰＵＳＣＨに割り当てられ、周波数領域においてデータ領域の両側部がＰＵＣＣＨに割り当てられる。ＰＵＣＣＨ上で送信される制御情報は、ＨＡＲＱに用いられるＡＣＫ／ＮＡＣＫ、下りリンクチャネル状態を表すＣＱＩ（Ｃｈａｎｎｅｌ  Ｑｕａｌｉｔｙ  Ｉｎｄｉｃａｔｏｒ）、ＭＩＭＯのためのＲＩ（Ｒａｎｋ  Ｉｎｄｉｃａｔｏｒ）、上りリンクリソース割当要求であるＳＲ（Ｓｃｈｅｄｕｌｉｎｇ  Ｒｅｑｕｅｓｔ）などがある。ある端末に対するＰＵＣＣＨは、サブフレーム内の各スロットにおいて互いに異なった周波数を占める一つのリソースブロックを使用する。すなわち、ＰＵＣＣＨに割り当てられる２個のリソースブロックはスロットを境界に周波数ホッピング（ｆｒｅｑｕｅｎｃｙ  ｈｏｐｐｉｎｇ）する。特に、図６では、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられる例を示す。
【００４６】
図７は、搬送波集成（ｃａｒｒｉｅｒ  ａｇｇｒｅｇａｔｉｏｎ）を説明する概念図である。
【００４７】
搬送波集成は、無線通信システムがより広い周波数帯域を用いるように、端末が上りリンクリソース（又は、コンポーネント搬送波）及び／又は下りリンクリソース（又は、コンポーネント搬送波）で構成された周波数ブロック又は（論理的意味の）セルを複数個用いて一つの大きい論理周波数帯域として用いる方法を意味する。以下では、説明の便宜のためにコンポーネント搬送波という用語に統一するものとする。
【００４８】
図７を参照すると、全体システム帯域（Ｓｙｓｔｅｍ  Ｂａｎｄｗｉｄｔｈ；Ｓｙｓｔｅｍ  ＢＷ）は論理帯域であって、最大１００ＭＨｚの帯域幅を有する。全体システム帯域は５個のコンポーネント搬送波を含み、それぞれのコンポーネント搬送波は最大２０ＭＨｚの帯域幅を有する。コンポーネント搬送波は、物理的に連続した一つ以上の連続した副搬送波を含む。図７では、それぞれのコンポーネント搬送波がいずれも同一の帯域幅を有するとしたが、これは例示に過ぎず、それぞれのコンポーネント搬送波は互いに異なる帯域幅を有することもできる。また、それぞれのコンポーネント搬送波は、周波数領域において互いに隣接しているとしたが、同図は論理的な概念で示したもので、それぞれのコンポーネント搬送波は物理的に互いに隣接していても、離れていてもよい。
【００４９】
それぞれのコンポーネント搬送波に対して異なる中心搬送波（Ｃｅｎｔｅｒ  ｆｒｅｑｕｅｎｃｙ）を用いたり、物理的に隣接したコンポーネント搬送波に対して共通の一つの中心搬送波を用いることができる。一例として、図７で、全てのコンポーネント搬送波が物理的に隣接しているとすれば、中心搬送波Ａを用いることができる。また、それぞれのコンポーネント搬送波が物理的に隣接していない場合を仮定すれば、それぞれのコンポーネント搬送波に対して別々の中心搬送波Ａ、中心搬送波Ｂなどを用いることができる。
【００５０】
本明細書で、コンポーネント搬送波はレガシーシステムのシステム帯域に該当し得る。コンポーネント搬送波をレガシーシステムを基準に定義することによって、進化した端末及びレガシー端末が共存する無線通信環境において逆支援性（ｂａｃｋｗａｒｄ  ｃｏｍｐａｔｉｂｉｌｉｔｙ）の提供及びシステムの設計が容易となり得る。
【００５１】
搬送波集成によって全体システム帯域を拡張した場合に、各端末との通信に用いられる周波数帯域はコンポーネント搬送波単位に定義される。端末Ａは、全体システム帯域である１００ＭＨｚを用いることができ、５個のコンポーネント搬送波を全て用いて通信を行う。端末Ｂ1〜Ｂ5は２０ＭＨｚ帯域幅のみを用いることができ、一つのコンポーネント搬送波を用いて通信を行う。端末Ｃ1及びＣ2は４０ＭＨｚ帯域幅を用いることができ、それぞれ２つのコンポーネント搬送波を用いて通信を行う。これら２つのコンポーネント搬送波は論理／物理的に隣接しても、隣接しなくてもよい。同図では、端末Ｃ1が、隣接していない２つのコンポーネント搬送波を用いる場合を示し、端末Ｃ2が、隣接した２つのコンポーネント搬送波を用いる場合を示す。
【００５２】
ＬＴＥシステムでは１個の下りリンクコンポーネント搬送波と１個の上りリンクコンポーネント搬送波を用いるのに対し、ＬＴＥ−Ａシステムでは、図７に示すように複数のコンポーネント搬送波を用いることができる。このとき、制御チャネルがデータチャネルをスケジューリングする方式は、既存のリンク搬送波スケジューリング（Ｌｉｎｋｅｄ  ｃａｒｒｉｅｒ  ｓｃｈｅｄｕｌｉｎｇ）方式とクロス搬送波スケジューリング（Ｃｒｏｓｓ  ｃａｒｒｉｅｒ  ｓｃｈｅｄｕｌｉｎｇ）方式とに区別できる。
【００５３】
具体的に、リンク搬送波スケジューリングは、単一コンポーネント搬送波を用いる既存ＬＴＥシステムのように特定コンポーネント搬送波を介して送信される制御チャネルは、該特定コンポーネント搬送波を介してデータチャネルのみをスケジューリングする。
【００５４】
一方、クロス搬送波スケジューリングは、搬送波指示子フィールド（Ｃａｒｒｉｅｒ  Ｉｎｄｉｃａｔｏｒ  Ｆｉｅｌｄ；ＣＩＦ）を用いてプライマリコンポーネント搬送波（Ｐｒｉｍａｒｙ  ＣＣ）を介して送信される制御チャネルが、該プライマリコンポーネント搬送波を介して送信される或いは他のコンポーネント搬送波を介して送信されるデータチャネルをスケジューリングする。
【００５５】
一方、現在の無線通信環境は、Ｍ２Ｍ（Ｍａｃｈｉｎｅ−ｔｏ−Ｍａｃｈｉｎｅ）通信、及び高いデータ伝送量を要求する様々なデバイスの出現及び普及に伴い、セルラー網に対するデータ要求量も急増している。高いデータ要求量を満たす目的で、通信技術は、より多い周波数帯域を効率よく使用するための搬送波集成（ｃａｒｒｉｅｒ  ａｇｇｒｅｇａｔｉｏｎ）技術などと、限られた周波数内でデータ容量を高めるための、多重アンテナ技術や多重基地局協調技術などへと発展しており、通信環境は、ユーザの周辺にアクセスできるノードの密度が高くなる方向に進展している。このような高い密度のノードを備えたシステムは、ノード同士の協調により、より高いシステム性能を示すことができる。このような方式は、各ノードが独立した基地局（Ｂａｓｅ  Ｓｔａｔｉｏｎ（ＢＳ）、Ａｄｖａｎｃｅｄ  ＢＳ（ＡＢＳ）、Ｎｏｄｅ−Ｂ（ＮＢ）、ｅＮｏｄｅ−Ｂ（ｅＮＢ）、Ａｃｃｅｓｓ  Ｐｏｉｎｔ（ＡＰ）など）として動作して互いに協調しない場合に比べて格段に優れた性能を有する。
【００５６】
図８は、次世代通信システムにおいて多重ノードシステムを例示する図である。
【００５７】
図８を参照すると、全てのノードが一つのコントローラにより送受信が管理され、個別ノードが一つのセルの一部のアンテナ集団のように動作をするとすれば、このシステムは、一つのセルを形成する分散多重ノードシステム（ｄｉｓｔｒｉｂｕｔｅｄ  ｍｕｌｔｉ  ｎｏｄｅ  ｓｙｓｔｅｍ；ＤＭＮＳ）と見なすことができる。このとき、各ノードは、個別のＮｏｄｅ ＩＤが与えられてもよく、個別のＮｏｄｅ ＩＤ無しでセル内の一部のアンテナのように動作してもよい。しかし、各ノードが互いに異なったセル識別子（Ｃｅｌｌ  ｉｄｅｎｔｉｆｉｅｒ；ＩＤ）を持つと、これは多重セルシステムと見なすことができる。このような多重セルがカバレッジによって重なり合う形態で構成されるとすれば、これを多重ティアネットワーク（ｍｕｌｔｉ−ｔｉｅｒ  ｎｅｔｗｏｒｋ）と呼ぶ。
【００５８】
一方、Ｎｏｄｅ−Ｂ、ｅＮｏｄｅ−Ｂ、ＰｅＮＢ、ＨｅＮＢ、ＲＲＨ（Ｒｅｍｏｔｅ  Ｒａｄｉｏ  Ｈｅａｄ）、リレー及び分散アンテナなどがノードになり得、一つのノードには少なくとも一つのアンテナが設けられる。ノードは、送信ポイント（Ｔｒａｎｓｍｉｓｓｉｏｎ  Ｐｏｉｎｔ）とも呼ばれる。ノード（Ｎｏｄｅ）は、通常、一定間隔以上で離れたアンテナグループを指すが、本発明ではノードを間隔にかかわらずに任意のアンテナグループと定義しても適用可能である。
【００５９】
上述した多重ノードシステム及びリレーノードの導入から、様々な通信技法の適用が可能になり、チャネル品質の改善が図られるが、前述のＭＩＭＯ技法及びセル間協調通信技法を多重ノード環境に適用するには、新しい制御チャネルの導入が要望される。このような要望から新しく導入が議論されている制御チャネルがＥＰＤＣＣＨ（Ｅｎｈａｎｃｅｄ  ＰＤＣＣＨ）であり、これは、既存の制御領域（以下、ＰＤＣＣＨ領域）ではなくデータ領域（以下、ＰＤＳＣＨ領域という。）に割り当てることが決定された。結論的には、このようなＥＰＤＣＣＨにより、各端末別にノードに関する制御情報を送信することが可能となり、既存のＰＤＣＣＨ領域が足りなくなる問題も解決できる。ちなみに、ＥＰＤＣＣＨは、既存のレガシー端末には提供されず、ＬＴＥ−Ａ端末のみが受信可能である。また、ＥＰＤＣＣＨは、既存のセル特定参照信号であるＣＲＳではなく、ＤＭ−ＲＳ（或いは、ＣＳＩ−ＲＳ）に基づいて送信及び受信がなされる。
【００６０】
図９は、ＥＰＤＣＣＨ、及びＥＰＤＣＣＨによってスケジューリングされるＰＤＳＣＨを例示する図である。
【００６１】
図９を参照すると、ＰＤＣＣＨ１及びＰＤＣＣＨ２はそれぞれＰＤＳＣＨ１及びＰＤＳＣＨ２をスケジューリングし、ＥＰＤＣＣＨは他のＰＤＳＣＨをスケジューリングすることがわかる。特に、図９では、ＥＰＤＣＣＨがサブフレームの４番目のシンボルから始まって最後のシンボルまで送信されることを示している。
【００６２】
一般に、データを送信するＰＤＳＣＨ領域を介してＥＰＤＣＣＨを送信することができ、端末は自身へのＥＰＤＣＣＨの有無を検出するために、ＥＰＤＣＣＨをモニタリングする。すなわち、ＥＰＤＣＣＨに含まれたＤＣＩを獲得するために、端末は集成レベルＬの検索領域においてあらかじめ定められた個数のＥＰＤＣＣＨ候補に対してブラインドデコーティングを行わなければならない。既存のＰＤＣＣＨのための検索領域の集成レベルと同様に、ＥＰＤＣＣＨのための検索領域の集成レベルも、一つのＤＣＩを送信するために用いられるＥＣＣＥ（Ｅｎｈａｎｃｅｄ  ＣＣＥ）の個数を意味する。
【００６３】
ＥＰＤＣＣＨを構成するＥＣＣＥは、該当するＲＥをマップする方式によって局地的（ｌｏｃａｌｉｚｅｄ）ＥＣＣＥ（以下、Ｌ−ＥＣＣＥ）と分散的（ｄｉｓｔｒｉｂｕｔｅｄ）ＥＣＣＥ（以下、Ｄ−ＥＣＣＥ）とに区別できる。Ｌ−ＥＣＣＥは、ＥＣＣＥを構成するＲＥがいずれも同一ＰＲＢ対から抽出されたものを意味し、各端末に最適化したビームフォーミングを行うことができるという長所がある。一方、Ｄ−ＥＣＣＥは、ＥＣＣＥを構成するＲＥが互いに異なるＰＲＢ対から抽出された場合に該当し、Ｌ−ＥＣＣＥにおけるようなビームフォーミングには制約があるが、周波数ダイバーシティを活用できるという長所がある。
【００６４】
図１０は、局地的ＥＣＣＥと分散的ＥＣＣＥの概念を説明するための図である。特に、図１０では、２つのＰＲＢ対を用いてＬ−ＥＣＣＥとＤ−ＥＣＣＥを構成し、一つのＰＲＢ対が８個のＲＥセットに分割されると仮定して、１つのＬ−ＥＣＣＥは、１つのＰＲＢ対に属した２つのＲＥセットを、Ｄ−ＥＣＣＥは、２ＰＲＢ対のそれぞれにおける１つのＲＥセットを用いて形成すると仮定した。
【００６５】
図１０を参照すると、ＰＲＢ対＃ｍのＲＥセットＡとＲＥセットＥを束ねて１つのＬ−ＥＣＣＥを定義し、また、ＰＲＢ対＃ｍのＲＥセットＢとＰＲＢ対＃ｎのＲＥセットＦを束ねて１つのＤ−ＥＣＣＥを定義している。以下の説明では、図１０の例示に限定されず、１つのＰＲＢ対が任意の個数のＲＥセットに分割される場合を含み、また、任意の個数のＰＲＢ対から１つのＤ−ＥＣＣＥが構成される場合も含むことができる。
【００６６】
ＥＰＤＣＣＨは、あらかじめ定められたＰＲＢ対上で送信され、その検索領域は当該ＰＲＢ対を用いて定義される。このとき、Ｄ−ＥＣＣＥの場合は２つ以上のＰＲＢ対からＲＥセットを抽出して検索領域を構成しなければならないことから、各Ｄ−ＥＣＣＥを構成するＲＥセットがどのＰＲＢ対のどの位置に存在するかを端末が判断できるようにしなければならない。もちろん、ｅＮＢが上位層信号などを用いて、各Ｄ−ＥＣＣＥごとに構成するＲＥセットを指定してもよいが、これは過度なシグナリングオーバーヘッドを誘発するという短所がある。
【００６７】
以下では、大きなシグナリングオーバーヘッドなしにもＥＣＣＥを構成できる方式を提案する。ただし、説明の便宜のために、１つのＥＣＣＥが個のＲＥセットＫで構成され、１つのＰＲＢ対がＰ個のＥＣＣＥで構成されて、結局、１つのＰＲＢ対がＫ×Ｐ個のＲＥセットに分割されると仮定する。このような仮定下で、Ｎ個のＰＲＢ対を使用するとすれば、合計Ｎ×Ｋ×Ｐ個のＲＥセットが定義され、これを用いてＮ×Ｐ個のＥＣＣＥを定義することができる。ここで、ＲＥセットをＥＲＥＧ（Ｅｎｈａｎｃｅｄ  Ｒｅｓｏｕｒｃｅ  Ｅｌｅｍｅｎｔ  Ｇｒｏｕｐ）と呼ぶこともできる。
【００６８】
ＥＰＤＣＣＨが使用するＰＲＢ対の集合は上位層信号を用いて伝達することができる。ＥＰＤＣＣＨのために設定されたＰＲＢ対には別のインデックスを付与することができる。例えば、最も低いインデックスを持つＰＲＢ対をインデックス０から始まって順次にインデックスを割り当て、最も高いインデックスを持つＰＲＢ対にインデックスＮ−１を割り当てることができる。これと同様に、各ＲＥセットに０〜（Ｎ×Ｐ×Ｋ）−１のインデックスを付与でき、また各ＥＣＣＥに０〜（Ｎ×Ｐ）−１のインデックスを付与することができる。
【００６９】
一方、ＲＥセットのインデックスは、ＰＲＢ対内で特定の規則によって決定されてもよい。例えば、サブフレーム構成によってＥＰＤＣＣＨに割当可能なＲＥ個数が可変し得ることから、１個のＰＲＢ対内で用いられるＲＥセットを同一サイズに分割できない場合もある。この場合、同一或いは類似のサイズのＲＥセット同士をグルーピングすると仮定すれば、同一グループに属するＲＥセットに連続したインデックスを割り当ててもよく、或いは連続したインデックスを異なるグループに属するＲＥセットに交互に割り当ててもよい。
【００７０】
図１１には、複数のＲＥセットグループにおいてＥＣＣＥ構成のためのＲＥセットを選択する例を示す。特に、図１１で、上図は、同一グループに属するＲＥセットに連続したインデックスを割り当てた例を示し、下図は、連続したインデックスを異なるグループに属するＲＥセットに交互に割り当てた例を示す。
【００７１】
図１１を参照すると、互いに異なるグループのＲＥセットでＥＣＣＥを構成すると、ＰＲＢ対の分割によるＲＥセットの不均衡或いはＲＥ個数の不均衡の問題を解消することができる。
【００７２】
しかし、同一グループに属するＲＥセットに連続したインデックスを割り当てる場合、すなわち、上図の場合は、所定のＲＥセットを選択してＥＣＣＥを構成するとき、ＲＥセット間の間隔を考慮する規則が必要である。一方、連続したインデックスを互いに異なるグループに属するＲＥセットに交互に割り当てる場合、すなわち、下図の場合は、このような特別な規則なしにも、連続したＲＥセットを用いてＥＣＣＥを構成することができる。本発明では、これら２つの場合に対するマッピング方式を全て考慮するものとする。
【００７３】
＜第１実施例＞
本発明の第１実施例では、一定間隔で離れたＲＥセットを集成（ａｇｇｒｅｇａｔｉｏｎ）してＥＣＣＥを構成する方法を提案する。
【００７４】
まず、ＥＣＣＥ＃ｎがＬ−ＥＣＣＥとして指定された場合にＥＣＣＥを定義する方法を説明する。
【００７５】
【数４】
0005872103.tif 000006
【００７６】
【数５】
0005872103.tif 000007
【００７７】
【数６】
0005872103.tif 000008
【００７８】
【数７】
0005872103.tif 000009
【００７９】
【数８】
0005872103.tif 000010
【００８０】
次に、ＥＣＣＥ＃ｎがＤ−ＥＣＣＥとして指定された場合にＥＣＣＥを定義する方法を説明する。
【００８１】
Ｄ−ＥＣＣＥは、１つのＰＲＢ対で１つのＲＥセットのみを占有し、１つのＰＲＢ対の立場では、Ｋ個ずつＲＥセットを束ねてＬ−ＥＣＣＥを形成しても最終的には最大Ｋ−１個のＲＥセットが残ることになるため、これをＤ−ＥＣＣＥに割り当てることが好ましい。これは、Ｄ−ＥＣＣＥ間に一種の連関が存在するということを意味できる。したがって、本発明では、特定Ｄ−ＥＣＣＥのためにＰＲＢ対＃ｎのＲＥセットが用いられたとすれば、当該ＰＲＢ対と連関があるＰＲＢ対からＲＥセットを選択して当該Ｄ−ＥＣＣＥを構成することを提案する。
【００８２】
【数９】
0005872103.tif 000011
【００８３】
【数１０】
0005872103.tif 000012
【００８４】
【数１１】
0005872103.tif 000013
【００８５】
【数１２】
0005872103.tif 000014
【００８６】
【数１３】
0005872103.tif 000015
【００８７】
【数１４】
0005872103.tif 000016
【００８８】
【数１５】
0005872103.tif 000017
【００８９】
さらにいうと、ＥＣＣＥ＃ｎがＬ−ＥＣＣＥであれば、ＰＲＢ対＃ｐでＲＥセット＃８ｐ+１と＃８ｐ+５を用いてＬ−ＥＣＣＥを構成することができ、これに連関づいているＰＲＢ対＃ｑでは、連関づいたＲＥセットに該当するＲＥセット＃８ｑ+１と＃８ｑ+５はＤ−ＥＣＣＥに用いられないため、自動的にＬ−ＥＣＣＥとして構成される。一方、ＥＣＣＥ＃ｎがＤ−ＥＣＣＥであれば、図１３でハッチングされたＲＥセットを用いて自動的に他のＤ−ＥＣＣＥを構成する。
【００９０】
すなわち、特定ＥＣＣＥが局地的タイプであるか或いは分散的タイプであるかが決定されると、それと連関づいたＥＣＣＥが同一タイプのＥＣＣＥになる。ここで、連関とは、該当のＥＣＣＥが局地的タイプ或いは分散的タイプであるとき、共に用いられるＲＥセットを用い得るＥＣＣＥを意味する。これにより、一部ＥＣＣＥのタイプを決定すると、残りのＥＣＣＥのタイプが自動的に決定されるため、各ＥＣＣＥが局地的タイプであるか或いは分散的タイプであるかを知らせるシグナリングオーバーヘッドを減らすことができる。
【００９１】
＜第２実施例＞
本発明の第２実施例では、連続したＲＥセットを集成（ａｇｇｒｅｇａｔｉｏｎ）してＥＣＣＥを構成する方法を提案する。
【００９２】
本発明の第２実施例で、ＰＲＢ対及び連関づいたＰＲＢ対を決定する方式は第１実施例と同一の方式を適用し、各ＰＲＢ対内でＲＥセットを構成する方式のみを定義すればよい。
【００９３】
まず、１つのＥＣＣＥがＫ個の連続したインデックスを持つ形態を考慮することができる。したがって、Ｌ−ＥＣＣＥ＃ｎが占めるＲＥセットのインデックスは、ｎＫ、ｎＫ+１、ｎＫ+２、…、ｎＫ+（Ｋ−１）で表現することができる。すなわち、ＲＥセットであるｎＫから始まって連続したＫ個のＲＥセットを選択してＬ−ＥＣＣＥを構成する。
【００９４】
【数１６】
0005872103.tif 000018
【００９５】
【数１７】
0005872103.tif 000019
【００９６】
【数１８】
0005872103.tif 000020
【００９７】
【数１９】
0005872103.tif 000021
【００９８】
【数２０】
0005872103.tif 000022
【００９９】
【数２１】
0005872103.tif 000023
【０１００】
＜第３実施例＞
一方、以上の実施例では、与えられたＰＲＢ対インデックスを順次に用いてＬ−ＥＣＣＥ或いはＤ−ＥＣＣＥを割り当て、特に、Ｄ−ＥＣＣＥを構成するＫ個のＲＥセットは一定インデックス間隔で離れたＰＲＢ対から選択する方式を提案した。このようなインデックスが実際周波数領域におけるＰＲＢインデックスを表すものであれば、ＰＲＢ対インデックスを所定間隔で離隔させて周波数ダイバーシティを獲得する方式が有効である。
【０１０１】
周波数リソースを検索領域に割り当てる時は、周波数ダイバーシティ利得を獲得するために、周波数領域上で所定間隔で離れたリソースを用いてＥＰＤＣＣＨのための検索領域を構成することができ、このとき、ＰＲＢ対（或いは、リソースブロックグループ（ＲＢＧ））単位の周波数リソースを適切に分布させた後に整列（ｓｏｒｔｉｎｇ）して検索領域を構成することができる。
【０１０２】
図１６には、本発明の第３実施例によってＰＲＢ対インデックスにビットリバース（ｂｉｔ  ｒｅｖｅｒｓｅ）技法を適用した例を示す。すなわち、ＰＲＢ対インデックスにビットリバース技法でパーミュテーション（ｐｅｒｍｕｔａｔｉｏｎ）を適用する。
【０１０３】
図１６を参照すると、ＰＲＢ対のインデックスが物理的ドメイン（ｐｈｙｓｉｃａｌ  ｄｏｍａｉｎ）で順に整列されるのではなく、ビットリバース技法によって周波数上で適切に分離されて検索領域に割り当てられたことがわかる。
【０１０４】
具体的に、Ｎ個のＰＲＢインデックスを２進数で表現した後にビットリバース技法を用いてインデックスを変換したとすれば、隣接したインデックスのＰＲＢ対同士が実際には物理的に十分に離隔していると見なすことができる。この場合、Ｌ−ＥＣＣＥは、第１実施例及び第２実施例と同様に、１個のＰＲＢ対内で１つ或いは複数のＲＥセット（ＥＲＥＧ）を抽出して１個のＣＣＥを構成することができる。Ｄ−ＥＣＣＥは、１つ或いは複数のＲＥＧを、分離されたＰＲＢ対から抽出することなく、ビットリバース技法による変換が適用されたＰＲＢインデックスのうち隣接したインデックスのＰＲＢ対から抽出することができる。
【０１０５】
【数２２】
0005872103.tif 000024
【０１０６】
【数２３】
0005872103.tif 000025
【０１０７】
【数２４】
0005872103.tif 000026
【０１０８】
図１７を参照すると、Ｌ−ＥＣＣＥ＃（ｎ＝ｐ×Ｐ+１）は、ＰＲＢ対＃ｐで連続したＲＥインデックスを持つ場合にＲＥセットを選択して構成する。しかし、Ｄ−ＥＣＣＥの場合、連続したインデックスを持つＰＲＢ対同士も上記のパーミュテーションによって実際には十分に分離されていると見なすことができるため、各ＰＲＢ対の最初のＲＥセットを選択して割り当てるようにする。各ＰＲＢ対の最初のＲＥセットが全て割り当てられた後は、再び最初のＰＲＢ対に戻って２番目のＲＥセットを選択して割り当てるようにする。
【０１０９】
【数２５】
0005872103.tif 000027
【０１１０】
一方、ＰＲＢ対にパーミュテーション（ｐｅｒｍｕｔａｔｉｏｎ）を適用した後、隣接するＰＲＢ対を用いてＥＣＣＥを構成する他の方法を考慮することができる。まず、ｐ＝Ｋ＊ｔ（ｔ＝０，１，２、...）を満たすＰＲＢ対＃ｐを基準にしてＰＲＢ対＃ｐ、＃ｐ+１、…、＃ｐ+Ｋ−１をグループ化し、このグループで形成される合計Ｋ＊Ｐ個のＥＣＣＥタイプを指定する。
【０１１１】
【数２６】
0005872103.tif 000028
【０１１２】
【数２７】
0005872103.tif 000029
【０１１３】
図１８を参照すると、Ｌ−ＥＣＣＥ＃（ｎ＝ｐ×Ｐ+１）は、ＰＲＢ対＃ｐで構成され、該当のＲＥセットインデックスはインデックス＃８ｐ+１及び＃８ｐ+５が選択される。
【０１１４】
【数２８】
0005872103.tif 000030
【０１１５】
【数２９】
0005872103.tif 000031
【０１１６】
特に、ＰＲＢ対＃ｐにおけるＥＣＣＥタイプが決定されると、これと関連づいてＤ−ＥＣＣＥを形成するＰＲＢ対＃ｐ+１、…、＃ｐ+Ｋ−１のＥＣＣＥタイプも決定される。すなわち、特定の一部ＥＣＣＥのタイプを決定することによってグループ内の全てのＥＣＣＥのタイプを自動で決定する。図１８に示すように、もしＲＥセット＃８ｐ+１と＃８ｐ+５を用いてＥＣＣＥ＃ｎをＬ−ＥＣＣＥとして構成したとすれば、当該ＲＥセットがＤ−ＥＣＣＥとして形成される時に共に用いられるＲＥセットであるＲＥセット＃８ｑ+１と＃８ｑ+５を用いてＥＣＣＥ＃ｎ+４をＬ−ＥＣＣＥタイプとして自動で形成する。
【０１１７】
また、図１９に示すように、もし、ＲＥセット＃８ｐ+１と＃８ｐ+５を用いてＥＣＣＥ＃ｎをＤ−ＥＣＣＥとして構成したとすれば、当該ＲＥセットがＬ−ＥＣＣＥとして形成される時に共に用いられるＲＥセットであるＲＥセット＃８ｑ+１と＃８ｑ+５を用いてＥＣＣＥ＃ｎ+４をＤ−ＥＣＣＥとして自動で形成する。
【０１１８】
＜第４実施例＞
本発明の第４実施例では連続したＲＥセットを集成してＥＣＣＥを構成する他の方法を提案する。本発明の第４実施例でＰＲＢ対及び連関づいたＰＲＢ対を決定する方式は、第１実施例と同一の方式を適用し、各ＰＲＢ対内でＲＥセットを構成する方式のみを定義すればよい。
【０１１９】
【数３０】
0005872103.tif 000032
【０１２０】
図２０を参照すると、第１実施例ではＲＥセットグループ間の間隔を考慮して、ＥＣＣＥを構成するＲＥセットがＰ間隔で離れて存在するが、本発明の第４実施例では、１つのＥＣＣＥがＫ個の連続したインデックスを持つ形態である。したがって、１つのＥＣＣＥ＃ｎを構成するＲＥセットのインデックスは、ｎＫ、ｎＫ+１、ｎＫ+２、…、ｎＫ+（Ｋ−１）で表現することができる。ここで、ＲＥセットインデックスはＫ×Ｐ×ｐからＫ・Ｐ・（ｐ+Ｋ）−１までの間の値を持つように、この領域内で循環シフトする方式で実際に用いるＲＥセットインデックスを選択することができる。
【０１２１】
【数３１】
0005872103.tif 000033
【０１２２】
図２１を参照すると、ＥＣＣＥ＃ｎがＤ−ＥＣＣＥであれば、Ｌ−ＥＣＣＥである場合と同様に、ｎＫのインデックスを基準に、ｎＫ、ｎＫ+１+Ｋ・Ｐ、ｎＫ+２+２Ｋ・Ｐ、…、ｎＫ+２+（Ｋ−１）Ｋ・ＰのインデックスであるＲＥセットでＤ−ＥＣＣＥ＃ｎを構成することができる。同様に、ここで、ＲＥセットインデックスはＫ×Ｐ×ｐからＫ・Ｐ・（ｐ+Ｋ）−１までの間の値を持つように、この領域内で循環シフトする方式で実際に用いるＲＥセットインデックスを選択することができる。
【０１２３】
【数３２】
0005872103.tif 000034
【０１２４】
【数３３】
0005872103.tif 000035
【０１２５】
これは、基準ＰＲＢ対のインデックスであるｐの値が変わった以外は、１個のＤ−ＥＣＣＥがＫ個のＲＥセット（すなわち、ＥＲＥＧ）で構成される場合と同一の形態である。
【０１２６】
ここで、ＲＥセットのインデックスは、１個のＤ−ＥＣＣＥがＫ個のＲＥセット（すなわち、ＥＲＥＧ）で構成される場合とは違い、Ｋ×Ｐ×ｐからＫ×Ｐ×（ｐ+Ｋ’）−１までの間の値を持つように、この領域内で循環シフトする方式で実際に用いるＲＥセットインデックスを選択することができる。
【０１２７】
【数３４】
0005872103.tif 000036
【０１２８】
【数３５】
0005872103.tif 000037
【０１２９】
【数３６】
0005872103.tif 000038
【０１３０】
＜第５実施例＞
上述の実施例によって構成されたＥＣＣＥは、Ｌ−ＥＣＣＥを基準にして１つのＰＲＢ対内でインデックスが１ずつ増加し、続いて、次のＰＲＢ対におけるＥＣＣＥにインデックスが付与される形態でインデクシングされるが、実際ＥＰＤＣＣＨ検索領域の設定のためにそれらのＥＣＣＥは再インデクシングされてもよい。例えば、Ｌ−ＥＣＣＥを基準に、隣接ＰＲＢ対に属するＣＣＥにインデックスを１ずつ増加しながらインデックスを付与する形態で再インデクシングすることができる。
【０１３１】
図２３には、本発明の第５実施例によってＥＣＣＥを再インデクシングする例を示す。特に、図２３は、合計８個のＰＲＢ対においてＰＲＢ対当たりに４個ずつ合計３２個のＥＣＣＥを構成するとき、ＰＲＢ対内でインデックスがまず増加する方式でＥＣＣＥに付与されたインデックスを、隣接ＰＲＢ対に移動しながらまず増加する方式で再インデクシングした例である。
【０１３２】
図２４には、本発明の第５実施例によってＥＣＣＥを再インデクシングする他の例を示す。特に、図２４は、ブロックインターリービングを適用したもので、まず、インデックスを列（ｃｏｌｕｍｎ）順に入力した後、行（ｒｏｗ）順に読み出してインデックスを再付与する。図２４は、列の個数が４個である場合のブロックインターリービング技法を例示する。
【０１３３】
以下では、図２３のＥＣＣＥ再インデクシング技法が適用された場合に各ＥＣＣＥを構成するＲＥセット選択について説明する。
【０１３４】
ＥＣＣＥインデックスが再インデクシングされた場合、上述の実施例でＲＥセットを導出する数式を適用するためには、再インデクシングされたＥＣＣＥインデックスを入力として再インデクシング以前のインデックスを導出する変換式が必要である。１つのＥＣＣＥがＫ個のＲＥセットで構成され、１つのＰＲＢ対がＰ個のＥＣＣＥで構成されたと仮定すれば、１つのＰＲＢ対はＫ×Ｐ個のＲＥセットに分割される。この場合、Ｎ個のＰＲＢ対を用いて合計Ｎ×Ｋ×Ｐ個のＲＥセットが定義され、これを用いてＮ×Ｐ個のＥＣＣＥを定義することができる。
【０１３５】
このような仮定下で、再インデクシング以前のＥＣＣＥインデックスをｎとし、再インデクシングされたＥＣＣＥインデックスをｎ’とすれば、下記の式１のように定義することができる。
【０１３６】
【数３７】
0005872103.tif 000039
【０１３７】
例えば、上述した方式のうち、ＥＣＣＥ＃ｎがＤ−ＥＣＣＥとして指定された場合、ＥＣＣＥ＃ｎを構成するＲＥセットのインデックスをＰＲＢ対に均一に分布させるために下記の式２を適用することができる。特に、下記の式２は、上述の実施例１においてＤ−ＥＣＣＥ定義方法によるものである。
【０１３８】
【数３８】
0005872103.tif 000040
【０１３９】
【数３９】
0005872103.tif 000041
【０１４０】
【数４０】
0005872103.tif 000042
【０１４１】
【数４１】
0005872103.tif 000043
【０１４２】
【数４２】
0005872103.tif 000044
【０１４３】
【数４３】
0005872103.tif 000045
【０１４４】
【数４４】
0005872103.tif 000046
【０１４５】
【数４５】
0005872103.tif 000047
【０１４６】
【数４６】
0005872103.tif 000048
【０１４７】
【数４７】
0005872103.tif 000049
【０１４８】
＜第６実施例＞
以上の実施例においてＤ−ＥＣＣＥは複数のＰＲＢ対にわたって存在するＲＥセットを束ねて形成されるため、原則としては１つのＤ−ＥＣＣＥを検出するために用いるＤＭＲＳアンテナポートはＲＥセット別に異なることがある。
【０１４９】
そこで、１つのＤ−ＥＣＣＥ検出において複数のアンテナポートを用いるようになる複雑な動作を防止するため、Ｄ−ＥＣＣＥを構成する複数のＲＥセットは、同一の１つのアンテナポートを用いるように制限されてもよい。例えば、特定Ｄ−ＥＣＣＥを検出するときは、当該Ｄ−ＥＣＣＥを代表するＲＥセットに割り当てられたアンテナポートを用いて残りのＲＥセットを検出するように動作することができる。
【０１５０】
【数４８】
0005872103.tif 000050
【０１５１】
図２５には、本発明の第６実施例によってＬ−ＥＣＣＥとＤ−ＥＣＣＥを構成する例を示す。特に、４個のＰＲＢ対が用いられると仮定し、各ＰＲＢ対は１６個のＲＥセットに分割され、１個のＥＣＣＥは４個のＲＥセットで構成されると仮定した。
【０１５２】
また、各ＥＣＣＥを構成するＲＥセットは、Ｌ−ＥＣＣＥの場合、図１４で説明したように、同一ＰＲＢ対に存在する連続したインデックスを持つＲＥセット４個で構成され、Ｄ−ＥＣＣＥの場合、図１５で説明したように、離隔したＰＲＢ対で相対的に連続する位置のＲＥセット４個で構成されると仮定した。また、図２２で説明したように、Ｌ−ＥＣＣＥを基準にするとき、ＰＲＢ対のインデックスが増加する方向に優先してＥＣＣＥインデックスがまず増加すると仮定した。
【０１５３】
図２５を参照すると、全体ＲＥセットは複数のグループに分割されてもよい。特に、図２５では、４個のグループに分割されると仮定した。すなわち、ＲＥセット｛０、１、２、３、１６、１７、１８、１９、３２、３３、３４、３５、４８、４９、５０、５１｝をグループ＃０として構成しており、類似の方式で総４個のＲＥセットグループを形成する。
【０１５４】
上述したように、１つのグループに対してＬ−ＥＣＣＥ又はＤ−ＥＣＣＥが決定されると、当該グループに属したＲＥセットを用いるＥＣＣＥのタイプが自動に設定されることが確認できる。例えば、ＲＥセットグループ＃０のリソースを用いてＬ−ＥＣＣＥを定義すると、ＲＥセットグループ＃０に属するＲＥセットを用いてはＤ−ＥＣＣＥを定義することができず、よって、自動に同一のＲＥセットグループ＃０を用いるＥＣＣＥ、すなわち（ＥＣＣＥ＃１、＃２、＃３）がＬ−ＥＣＣＥになることがわかる。これは、ＲＥセットグループ別にＬ−ＥＣＣＥとＤ−ＥＣＣＥのタイプが決定されるということを意味する。
【０１５５】
言い換えると、上述したＬ−ＥＣＣＥとＤ−ＥＣＣＥを構成するＲＥセット間の相関関係によって、一連のＥＣＣＥインデックスのセットを定義した場合、当該ＥＣＣＥインデックスのセットが占めるリソースの集合は、該当セットに属するＥＣＣＥのタイプと無関係に固定される。例えば、上記ＥＣＣＥインデックスのセットが｛ＥＣＣＥ＃０、ＥＣＣＥ＃１、ＥＣＣＥ＃２、ＥＣＣＥ＃３｝と与えられたとき、当該４個のＥＣＣＥが局地的タイプか又は分散的タイプかにかかわらず、常にＲＥセットグループ＃０のみを用いて定義される属性を有することがわかる。これはすなわち、特定ＲＥセットグループのＥＣＣＥタイプ決定が他のＲＥセットグループのＥＣＣＥタイプには何ら影響も与えないということを意味するため、ＲＥセットタイプ単位にＤ−ＥＣＣＥとＬ−ＥＣＣＥを自由に多重化することができるということを意味する。
【０１５６】
図２６には、本発明の第６実施例によってＬ−ＥＣＣＥとＤ−ＥＣＣＥを多重化する方式を決定した後、検索領域上でＥＰＤＣＣＨ候補に対する開始位置を決定する一例を示す。
【０１５７】
まず、図２６の（ａ）は、ＥＰＤＣＣＨの検索領域は１６個のＥＣＣＥで構成されており、Ｌ−ＥＣＣＥ方式のＥＰＤＣＣＨが割り当てられた場合を仮定する。それぞれの集成レベルに対して最大４回のブラインドデコーティングが可能であるとすれば、開始位置として使用可能な４個のＥＣＣＥ候補を決定しなければならない。集成レベル１のＥＣＣＥをブラインドデコーティングする場合、開始位置を決定するために次の規則を適用することができる。
【０１５８】
まず、特定ＲＥセットグループ内で開始位置として使用可能な候補ＥＣＣＥが多数存在することは好ましくない。図２６の（ｂ）に示すように、１つのＲＥセットグループにＥＰＤＣＣＨ開始位置の候補ＥＣＣＥが集まっている状態で、当該ＲＥセットグループを構成するＥＣＣＥ或いはＲＥセットの一部がＤ−ＥＣＣＥ方式であることが判明されると、当該ＲＥセットグループの領域の残り部分ではＬ−ＥＣＣＥを多重化することができないためである。
【０１５９】
また、特定ＰＲＢ対に開始位置として使用可能な候補ＥＣＣＥが多数存在することも好ましくない。図２６の（ｃ）に示すように、検索領域として指定されたＰＲＢ対のうちの一部ＰＲＢ対にのみ開始位置の候補ＥＣＣＥが存在すると、チャネルの周波数選択的特徴などを解決或いは活用するためのスケジューリング技法などを十分に活用することができない。一例として、１個のＰＲＢ対にＥＰＤＣＣＨ開始位置の候補ＥＣＣＥが全て存在する場合、当該ＲＢのチャネル状態が良かれ悪しかれ、ｅＮＢにとってはそのＲＢにスケジューリングするしかない。
【０１６０】
したがって、これら２つの特性を総合した時、ＥＰＤＣＣＨブラインドデコーティングの開始位置に対する候補ＥＣＣＥは、図２６の（ｄ）に示すように、ＰＲＢ対ドメイン及びＥＣＣＥドメインで均一に分布することが好ましい。
【０１６１】
【数４９】
0005872103.tif 000051
【０１６２】
図２７には、第６実施例によって検索領域上でＥＰＤＣＣＨ候補に対する開始位置を決定する他の例を示す。
【０１６３】
図２６の（ｄ）のような方式を集成レベル２或いは集成レベル４に同様に適用すると、図２７に示すように、ブラインドデコーティングのための開始位置を定義し、当該集成レベルだけのＥＣＣＥを用いてブラインドデコーティングを行うことができる。
【０１６４】
一方、本発明の第６実施例に係るブラインドデコーティングのための開始位置を決定する方式を、Ｌ−ＥＣＣＥだけでなくＤ−ＥＣＣＥにも適用することができ、ＲＥセットグループをＰＲＢ対ドメインに対して考慮したこととは違い、論理的な概念のＥＣＣＥドメインに対しても考慮する必要がある。
【０１６５】
図２８には、第６実施例によって検索領域上でＥＰＤＣＣＨ候補に対する開始位置を決定する更に他の例を示す。特に、図２８の場合、集成レベル１でＥＰＤＣＣＨ検索領域に対するブラインドデコーティング開始位置を決定することができる。
【０１６６】
＜第７実施例＞
本発明の第７実施例では、局地的ＥＰＤＣＣＨ及び分散的ＥＰＤＣＣＨを１つのＰＲＢ対で効率的に多重化するための方法を提案する。このような多重化技法のために下記のＥＰＤＣＣＨ検索領域の特徴が要求されることがある。
【０１６７】
１）局地的ＥＰＤＣＣＨ及び分散的ＥＰＤＣＣＨのいずれにおいても、ＲＥセット、すなわちＥＲＥＧが共通のリソース割当単位である必要がある。
【０１６８】
２）ＥＰＤＣＣＨのためのＰＲＢの集合は１つ以上与えられてもよいが、端末の立場では、１つのＥＰＤＣＣＨタイプのみがＥＰＤＣＣＨのためのＰＲＢの集合のそれぞれにおいて有効でなければならない。すなわち、局地的ＥＰＤＣＣＨ及び分散的ＥＰＤＣＣＨの多重化は、端末にとっての考慮対象ではなく、単に基地局のスケジューリングイシューである。
【０１６９】
３）基地局の立場では、各ＥＰＤＣＣＨのためのＰＲＢの集合において、全てのＰＲＢにわたってＥＣＣＥのインデックスが付与されなければならない。したがって、同一時点では同一ＥＣＣＥインデックスを持つ他のタイプのＥＣＣＥが存在できない。
【０１７０】
４）特定ＥＰＤＣＣＨタイプの存在は、他のＥＰＣＣＨタイプのＲＥに最小限の影響を及ぼさなければならない。この影響の最小化は、基地局にとっての利用可能なＥＣＣＥの個数だけでなく、端末にとっての利用可能なＥＤＣＣＨ候補の個数の見地でなされなければならない。
【０１７１】
上記の１）乃至４）の特性についてさらに詳しく説明する。
【０１７２】
まず、上記の特性１）は、２つのＥＰＤＣＣＨタイプの多重化のために自明な要件である。
【０１７３】
次に、特性２）は、それぞれの端末に上記の多重化がどのように現れるかに関する。ＥＰＤＣＣＨ関連動作の単純化のために、各端末は、１つのＥＰＤＣＣＨセット内の全てのＥＣＣＥが同一のタイプであると仮定することが好ましい。このように仮定すると、ＥＣＣＥのそれぞれに対して該当のタイプを指定するシグナリングが不要になるだろう。ただし、複数のＥＰＤＣＣＨセットを設定することから、端末は１つのサブフレーム内で局地的ＥＰＤＣＣＨ及び分散的ＥＰＤＣＣＨの両方をモニタリングすることがある。言い換えると、２個のＥＰＤＣＣＨセットが１つの端末に対して設定された場合、それぞれのＥＰＤＣＣＨセットに対するタイプは独立して設定され得る。例えば、２つのセットとも局地的タイプであってもよく、２つのセットとも分散的タイプであってもよい。もちろん、２つのセットが互いに異なるタイプで構成されてもよい。
【０１７４】
結果として、各ＥＰＤＣＣＨセットにおける局地的ＥＰＤＣＣＨ及び分散的ＥＰＤＣＣＨの多重化は、端末にとっては考慮対象ではなく、単に基地局のスケジューリングイシューである。
【０１７５】
次に、上記の特性３）は、２つのＥＰＤＣＣＨタイプの多重化を可能にするＥＣＣＥインデクシングに関する。このような特性３）は、上りリンクＡＣＫ／ＮＡＣＫリソースが下りリンクグラントのＥＣＣＥインデックスに基づいて決定される場合に特に要求され得る。言い換えると、もし分散的タイプであるＥＣＣＥ＃ｎと局地的タイプであるＥＣＣＥ＃ｎが同一時間に存在し、２つのＥＣＣＥとも下りリンクグラントとして用いられるとすれば、上りリンクＡＣＫ／ＮＡＣＫリソースの衝突が発生し得る。このような状況は、分散的タイプであるＥＣＣＥ＃ｎと局地的タイプであるＥＣＣＥ＃ｎが所定のＲＥ（例えば、所定のＲＥセット又は所定のＥＲＥＧ）を共有するという特性を保障することによって解決することができる。このような特性は上りリンクＡＣＫ／ＮＡＣＫリソースの衝突を防止でき、基地局スケジューリングの単純化を保障できる。
【０１７６】
図２９は、本発明の第７実施例によってＥＣＣＥとＥＲＥＧ間のマッピングを例示する図である。特に、図２９は、上記の特性１）乃至３）を満たすＥＣＣＥとＥＲＥＧ間のマッピング技法を例示する。また、ＥＰＤＣＣＨセットとして４個のＰＲＢ対が設定され、各ＰＲＢ当たりに１６個のＥＲＥＧが定義され、１つのＥＣＣＥは４個のＥＲＥＧで構成されたと仮定する。具体的に、各行で同一パターンと同一数字が表示された格子が１つのＥＣＣＥを構成するＥＲＥＧである。
【０１７７】
図２９を参照すると、上記の特性１）のように、ＥＣＣＥを構成する共通単位としてＥＲＥＧが用いられたし、上記の特性２）のように、端末は一つがＥＰＤＣＣＨセットに適用される局地的形態のＥＣＣＥ及び分散的形態のＥＣＣＥのうち一つを仮定して、ＥＣＣＥとＥＲＥＧ間のマッピングを行うことがわかる。
【０１７８】
図３０は、本発明の第７実施例による局地的ＥＰＤＣＣＨ及び分散的ＥＰＤＣＣＨの多重化例を示す。特に、図３０は、図２９のＥＣＣＥとＥＲＥＧ間のマッピングに基づいて例示した図である。
【０１７９】
図３０を参照すると、同一パターンと同一数字が表示された格子が１つのＥＣＣＥを構成するＥＲＥＧの集合であり、局地的ＥＰＤＣＣＨ及び分散的ＥＰＤＣＣＨの多重化単位としてそのグラニュラリティ（ｇｒａｎｕｌａｒｉｔｙ）は１６個のＥＲＥＧ、すなわち、４ＥＣＣＥであることがわかる。
【０１８０】
特に、図３０の（ａ）は、１つのＰＲＢ対に３個の局地的ＥＰＤＣＣＨのためのＥＣＣＥが定義され、１つの分散的ＥＰＤＣＣＨのためのＥＣＣＥが定義された例であり、図３０の（ｂ）は、１つのＰＲＢ対に２個の局地的ＥＰＤＣＣＨのためのＥＣＣＥが定義され、２個の分散的ＥＰＤＣＣＨのためのＥＣＣＥが定義された例であり、図３０の（ｃ）は、１つのＰＲＢ対に３個の分散的ＥＰＤＣＣＨのためのＥＣＣＥが定義され、１つの局地的ＥＰＤＣＣＨのためのＥＣＣＥが定義された例である。
【０１８１】
また、分散的ＥＰＤＣＣＨのためのＥＣＣＥ及び局地的ＥＰＤＣＣＨのためのＥＣＣＥが同一ＥＣＣＥを有するとしても、１個のＥＲＥＧのみを共有するため、上記の特性３）を満たすことがわかる。
【０１８２】
一方、上述した通り、上記の特性４）は、互いに異なるＥＰＤＣＣＨタイプの存在による影響に関する。ＥＣＣＥを構成するためのＥＲＥＧの集合は、分散的ＥＰＤＣＣＨのためのＥＣＣＥ及び局地的ＥＰＤＣＣＨのためのＥＣＣＥにおいて同一ではならないため、１つの局地的タイプＥＣＣＥの送信は複数の局地的タイプＥＣＣＥの送信をブロッキングでき、その逆の場合も同様である。所定タイプの一つのＥＣＣＥが他のタイプの複数のＥＣＣＥをブロッキングするとすれば、所定タイプのＥＣＣＥが複数個送信される際に他のタイプのＥＣＣＥの個数を最小化することが好ましい。
【０１８３】
図２９を参照すると、各行に位置する１６個のＥＲＥＧは、１つのＥＲＥＧセットを構成し、１つのＥＲＥＧセット内でＥＲＥＧはＥＣＣＥタイプとは無関係に４個のＥＣＣＥを構成するために用いられる。したがって、いかなるＥＣＣＥも、異なるＥＲＥＧセットに含まれたＥＲＥＧを用いて構成されることがない。
【０１８４】
結果として、図２９及び図３０に示すように、１つの局地的ＥＣＣＥが４個の分散的ＥＣＣＥをブロッキングするとしても、基地局は、局地的送信のために用いられるＥＲＥＧセットのＥＲＥＧをさらに用いて、ブロッキングされた分散的ＥＣＣＥの個数を増加させることなく４個の局地的ＥＣＣＥを構成することができる。
【０１８５】
こうすると、異なるタイプのＥＣＣＥによって影響を受ける所定タイプのＥＣＣＥの個数は最小化でき、基地局は所定タイプのＥＰＣＣＨのために一層多いＥＣＣＥを活用することができる。もちろん、ここではＥＲＥＧセットという概念を用いたが、これは説明の便宜のためのものに過ぎず、ＥＲＥＧ及びＥＣＣＥの構成時に上の概念を暗黙的に適用することができる。
【０１８６】
また、上記の特性４）は、端末の立場では１つ以上のＥＣＣＥで構成されるＥＰＤＣＣＨ候補のそれぞれの配置に関連している。それぞれの端末の立場では、ＥＰＤＣＣＨ候補の配置時に、所定タイプのＥＰＤＣＣＨ候補の限定された個数のみが他のタイプのＥＰＤＣＣＨの存在によってブロッキングされることが保障されなければならない。これを、図３１を参照して説明する。
【０１８７】
図３１は、本発明の第７実施例に係る集成レベル１の局地的ＥＰＤＣＣＨ候補の配置を例示する図である。特に、図３１の（ａ）は、単一のＥＲＥＧセットにおいて４個のＥＰＤＣＣＨ候補を配置する場合であり、図３１の（ｂ）は、４個の異なるＥＲＥＧセットにそれぞれ１つのＥＰＤＣＣＨ候補を配置する場合である。
【０１８８】
図３１を参照すると、ＥＰＤＣＣＨ候補の位置は、他のタイプのＥＰＤＣＣＨ候補の可能な位置を考慮して決定される必要があるということがわかる。
【０１８９】
＜第８実施例＞
図１３で説明したＤ−ＥＣＣＥ割当方式は、Ｄ−ＥＣＣＥのために割り当てたＮ個のＰＲＢ対のうちＫ個のＰＲＢ対に順次にＤ−ＥＣＣＥを割り当てた後、隣接したＫ個のＰＲＢ対に、同様にＤ−ＥＣＣＥを順次に割り当てる方式である。この場合、使用可能なＰＲＢ対が充分であるにもかかわらず、敢えて特定ＰＲＢ対のみを用いて多数のＤ−ＥＣＣＥを割り当てることになるため、効率性が低下することがあり、Ｄ−ＥＣＣＥ間にも充分のダイバーシティ利得を獲得できなくなる。
【０１９０】
【数５０】
0005872103.tif 000052
【０１９１】
以上の実施例と同様に、１つのＥＣＣＥがＫ個のＥＲＥＧで構成され、１つのＰＲＢ対がＰ個のＥＣＣＥで構成され、結果として１つのＰＲＢ対がＫ＊Ｐ個のＥＲＥＧに分割されると仮定する。このような仮定下でＮ個のＰＲＢ対を用いる場合では、合計Ｎ＊Ｋ＊Ｐ個のＥＲＥＧが定義され、これを用いてＮ＊Ｐ個のＥＣＣＥを定義することができる。また、最も低いインデックスを持つＰＲＢ対をインデックス０から始まって順次にインデックスを割り当て、最も高いインデックスを持つＰＲＢ対にインデックスＮ−１を割り当てることができる。これと同様に、各ＥＲＥＧに０〜（Ｎ＊Ｐ＊Ｋ）−１のインデックスを付与でき、同様に、各ＥＣＣＥに０〜（Ｎ＊Ｐ）−１のインデックスを付与することができる。
【０１９２】
Ａ）局地的ＥＣＣＥのためのＥＲＥＧインデクシング
図３０の局地的ＥＰＤＣＣＨのためのＥＣＣＥを参照すると、ＥＣＣＥを構成するＥＲＥＧは、互いに異なるＰＲＢ対から選択されたことがわかる。この場合、ＥＲＥＧ間の間隔は、ＰＲＢ対当たりのＥＣＣＥ個数であるＰに設定される。この場合、ＥＣＣＥ＃ｎを構成するＥＲＥＧのインデックスは、下記の式８のように表現することができる。式８で、ＥＲＥＧインデックス（ｘ、ｙ）は、ＰＲＢ対＃ｘにおけるインデックスｙであるＥＲＥＧを表現する。
【０１９３】
【数５１】
0005872103.tif 000053
【０１９４】
【数５２】
0005872103.tif 000054
【０１９５】
Ｂ）分散的ＥＣＣＥのためのＥＲＥＧインデクシング
図３０及び図３１では、分散的ＥＰＤＣＣＨのためのＥＣＣＥとＥＲＥＧ間のマッピングに関して例示している。もし、ＥＰＤＣＣＨセット内のＰＲＢ対の個数がＥＣＣＥ当たりのＥＲＥＧの個数より大きい又は等しいと、下記の式１０によって、分散的ＥＣＣＥ＃ｎを構成するＥＲＥＧのインデックスを表現することができる。同様に、数学式１０でＥＲＥＧインデックス（ｘ、ｙ）は、ＰＲＢ対＃ｘにおけるインデックスｙであるＥＲＥＧを表現する。
【０１９６】
【数５３】
0005872103.tif 000055
【０１９７】
【数５４】
0005872103.tif 000056
【０１９８】
【数５５】
0005872103.tif 000057
【０１９９】
Ｃ）ＰＲＢ対当たりのＥＣＣＥの個数
サブフレームタイプ及び可用ＲＥの個数によって、ＰＲＢ対当たりのＥＣＣＥの個数は２又は４であってもよい。以下では、ＰＲＢ対当たりのＥＣＣＥの個数が２個である場合のＥＣＣＥインデクシングについて説明する。
【０２００】
局地的ＥＰＤＣＣＨのＥＣＣＥを構成するＥＲＥＧは１つのＰＲＢ対から選択される。一方、分散的ＥＰＤＣＣＨのＥＣＣＥは、局地的ＥＰＤＣＣＨのＥＣＣＥを構成するＥＲＥＧと同じインデックスを持つＥＲＥＧを、複数のＰＲＢ対から選択する。
【０２０１】
図３２は、本発明の第８実施例に係るＥＣＣＥ構成方法を例示する図である。
【０２０２】
まず、局地的ＥＰＤＣＣＨのＥＣＣＥが図３２の（ａ）のようにインデクシングされ、ＥＲＥＧセット０、すなわち、インデックス０のＥＲＥＧが局地的ＥＰＤＣＣＨのＥＣＣＥを構成すると仮定する。
【０２０３】
この場合、分散的ＥＰＤＣＣＨのＥＣＣＥは、図３２の（ｂ）及び図３２の（ｃ）のように、局地的ＥＰＤＣＣＨのＥＣＣＥを構成するＥＲＥＧと同じインデックスである０のインデックスを持つＥＲＥＧを複数のＰＲＢ対から選択して構成される。
【０２０４】
図３３は、本発明の一実施例に係る通信装置のブロック構成図である。
【０２０５】
図３３を参照すると、通信装置３３００は、プロセッサ３３１０、メモリー３３２０、ＲＦモジュール３３３０、ディスプレイモジュール３３４０、及びユーザインターフェースモジュール３３５０を備えている。
【０２０６】
通信装置３３００は、説明の便宜のために例示されたもので、一部のモジュールは省略されてもよい。また、通信装置３３００は、必要なモジュールをさらに備えてもよい。また、通信装置３３００において、一部モジュールはより細分化したモジュールにしてもよい。プロセッサ３３１０は、図面を参照して例示した本発明の実施例に係る動作を実行するように構成される。具体的に、プロセッサ３３１０の詳細な動作は、図１乃至図３２に記載された内容を参照されたい。
【０２０７】
メモリー３３２０は、プロセッサ３３１０に接続し、オペレーティングシステム、アプリケーション、プログラムコード、データなどを格納する。ＲＦモジュール３３３０は、プロセッサ３３１０に接続し、基底帯域信号を無線信号に変換したり、無線信号を基底帯域信号に変換する機能を担う。そのために、ＲＦモジュール３３３０は、アナログ変換、増幅、フィルタリング及び周波数アップ変換、又はこれらの逆過程を行う。ディスプレイモジュール３３４０は、プロセッサ３３１０に接続し、様々な情報をディスプレイする。ディスプレイモジュール３３４０は、次に制限されるものではないが、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザインターフェースモジュール３３５０は、プロセッサ３３１０に接続し、キーパッド、タッチスクリーンなどのような周知のユーザインターフェースの組合せで構成することができる。
【０２０８】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０２０９】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現では、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０２１０】
ファームウェアやソフトウェアによる具現では、本発明の一実施例は、以上で説明された機能又は動作を実行するモジュール、手順、関数などの形態で具現されてもよい。ソフトウェアコードは、メモリーユニットに記憶され、プロセッサにより駆動可能である。メモリーユニットは、プロセッサの内部又は外部に設けられ、公知の様々な手段によりプロセッサとデータを交換することができる。
【０２１１】
本発明は、本発明の特徴を逸脱しない範囲で別の特定の形態に具体化できるということが当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
【産業上の利用可能性】
【０２１２】
上述のような無線通信システムにおいて分散的タイプの下りリンク制御チャネルの検索領域のためにリソースブロックを構成する方法及びそのための装置は、３ＧＰＰ ＬＴＥシステムに適用される例を中心にして説明したが、３ＧＰＰ ＬＴＥシステムの他、様々な無線通信システムにも適用可能である。
【図１】
0005872103.tif 000062
【図２】
0005872103.tif 000063
【図３】
0005872103.tif 000064
【図４】
0005872103.tif 000065
【図５】
0005872103.tif 000066
【図６】
0005872103.tif 000067
【図７】
0005872103.tif 000068
【図８】
0005872103.tif 000069
【図９】
0005872103.tif 000070
【図１０】
0005872103.tif 000071
【図１１】
0005872103.tif 000072
【図１２】
0005872103.tif 000073
【図１３】
0005872103.tif 000074
【図１４】
0005872103.tif 000075
【図１５】
0005872103.tif 000076
【図１６】
0005872103.tif 000077
【図１７】
0005872103.tif 000078
【図１８】
0005872103.tif 000079
【図１９】
0005872103.tif 000080
【図２０】
0005872103.tif 000081
【図２１】
0005872103.tif 000082
【図２２】
0005872103.tif 000083
【図２３】
0005872103.tif 000084
【図２４】
0005872103.tif 000085
【図２５】
0005872103.tif 000086
【図２６】
0005872103.tif 000087
【図２７】
0005872103.tif 000088
【図２８】
0005872103.tif 000089
【図２９】
0005872103.tif 000090
【図３０】
0005872103.tif 000091
【図３１】
0005872103.tif 000092
【図３２】
0005872103.tif 000093
【図３３】
0005872103.tif 000094